(57)【特許請求の範囲】
【請求項１】
嫌気処理槽、生物反応槽、濾過部及び消毒部を備える汚水浄化槽であって、前記濾過部は、単独に、あるいは仕切を介して前記消毒部と共に、嫌気処理槽又は生物反応槽のいずれかの槽の一画に配した箱状容器の中に形成され、前記箱状容器は、前面、後面、左面、右面及び底面の５面をもつ容器で、その上部には生物反応槽から処理水を移流させるための移流口を設け、その下部には濾過床の洗浄時に洗浄排水を引き抜くためのエアリフトポンプの吸込口が配され、前記濾過部の下流には消毒部に処理水を移流させるための移流口を設け、前記底面は、前記嫌気処理槽又は前記生物反応槽の底部とは接していない、汚水浄化槽。
【請求項２】
濾過部には濾過床が形成され、この濾過床の下部又は下方には洗浄用散気部材が配されている、請求項１の汚水浄化槽。
【発明の詳細な説明】
【０００１】
【発明の属する技術分野】
本発明は、し尿や雑排水などの汚水もしくは排水を浄化処理する汚水浄化槽に関する。
【０００２】
【従来の技術】
浄化槽内を、槽体（浄化槽の外郭）の内壁及び底部で接する所定の容器によって、その容器を含めて３以上の独立した槽（室）に区切って構成した汚水浄化槽は、従来から知られている（実公平６−３４８７９号公報）。
また、本出願人は、先に、上流から、嫌気濾床槽第１室、嫌気濾床槽第２室、好気濾床槽（上区画の生物反応床と下区画の濾過床とからなる）、処理水槽及び消毒槽を備える汚水浄化槽を開発・上市した（特許第２９０４１０２号公報）。
【０００３】
【発明が解決しようとする課題】
本発明は、上記特許第２９０４１０２号の汚水浄化槽を更に改良・発展させるものであり、その目的とするところは、組立て性に優れ、良好な水質の処理水が得られる汚水浄化槽を提供することである。
【０００４】
【課題を解決するための手段】
上記目的を達成するため、本発明では次の構成をとった。すなわち、本発明は、汚水の流れの順に、嫌気処理槽４，５と、生物反応槽６と、濾過部７と、消毒部８とを備える汚水浄化槽であって、前記濾過部７は、単独に、あるいは仕切９を介して前記消毒部８と共に、嫌気処理槽４，５又は生物反応槽６のいずれかの槽の一画に配置した箱状容器１１の中に形成され、前記箱状容器１１は、前面、後面、左面、右面及び底面の５面をもつ容器で、その上部には生物反応槽６から処理水を移流させるための移流口１６ａを設け、その下部には濾過床７ａの洗浄時に洗浄排水を引き抜くためのエアリフトポンプの吸込口１５が配され、前記濾過部７の下流には消毒部８に処理水を移流させるための移流口１６ｂを設け、前記底面は、前記嫌気処理槽４，５又は前記生物反応槽６の底部とは接していないことを特徴とする汚水浄化槽１である。すなわち、箱状容器１１は、汚水浄化槽内を区画するための仕切壁を兼ねるのではなく、それ自身で独立した一槽（又は室）を形成している。
【０００６】
また、濾過部７には、好ましくは、充填材（濾材；担体；生物担体；接触材ともいわれる）を充填した濾過床７ａを形成させ、この濾過床７ａの下部又は下方には洗浄用散気部材１３を配置する。
【０００７】
また、生物反応槽６には、通常、充填材（生物担体）を充填した生物反応床６ａを形成させ、この生物反応床６ａの下部又は下方には反応用散気部材１２を配置する。
【０００８】
【作用】
本発明の汚水浄化槽においては、濾過部７（及び槽毒部８）は、嫌気処理槽４，５又は生物反応槽６のいずれかの槽の一画に配置した箱状容器１１の中に形成させるので、濾過部７（及び槽毒部８）に付帯する他の部品や部材を予め組み込んで、ユニット化（濾過ユニット化）することができる。そうすれば、作業空間の小さい汚水浄化槽内での濾過部７（及び槽毒部８）の組み立ては不要となり、組立て性に優れるものとなる。
また、濾過部７（及び槽毒部８）は、独立した箱状容器１１内に形成させるので、汚水の主たる流れ、すなわち、「嫌気処理槽→生物反応槽→濾過部→消毒部」の流れを変えずに、濾過部７（及び槽毒部８）を嫌気処理槽４，５や生物反応槽６の中に配置することができる。すなわち、汚水浄化槽１内に配置する濾過部７（及び槽毒部８）の場所の制約は少なくなる。
【０００９】
【発明の実施の形態】
以下、発明の実施の形態を図面により更に具体的に説明する。
図１は本発明に係る第１例の汚水浄化槽である。図示するように、汚水浄化槽１は、上流側から、汚水中の沈降性固形物を重力下に沈降させるとともに嫌気処理を行なう第一固液分離槽（第一嫌気処理槽）４と、前槽からの移流液をさらに固液分離し上澄液を次槽へ移流させる第二固液分離槽（第二嫌気処理槽）５と、前槽からの移流液を生物的に好気処理する生物反応床６ａを有する生物反応槽６と、前槽からの生物性汚泥（浮遊性懸濁物質、ＳＳともいう）混じりの移流液を濾過する濾過床７ａを有し濾液を次槽へ移流させる濾過部７と、流入してきた濾液を消毒処理する消毒部８とで構成される。ここで、生物反応槽６の上部一画に、前面、後面、左面、右面及び底面の５面をもつ箱状容器１１を配置し、その箱状容器１１の中に、仕切板９を介して濾過部７と消毒部８とを配置している。
【００１０】
箱状容器１１は、汚水浄化槽１の槽体内壁や仕切板に固定する。また、図から分かるように、箱状容器１１の底部は汚水浄化槽１の底部とは接していない。また、槽体の内壁と箱状容器１１の外側とが接する部分での水封は必要がない。
箱状容器１１には、生物反応槽６で処理された液から流入口となる移流口１６ａと、濾過部７で濾過された液を消毒部へ移すための移流口１６ｂとが設けられ、生物反応槽６で処理された汚水は移流口１６ａを経て濾過部７へ移流し、濾過部７で濾過された液は移流口１６ｂを経て、同じ箱状容器１１内の消毒部８に入り消毒された後、処理水として出口３から放流される。
【００１１】
なお、図１の例では、消毒部８は箱状容器１１内に設置したが、これは箱状容器１１外に独立に設置してもよい。
【００１２】
生物反応床６ａには流動性充填材を充填し、その下部に反応用散気部材１２を設けている。ここで、流動性充填材とは、散気すれば液とともに流動する性状の充填材を意味し、比重では概ね０．８０〜１．１０のものである。なお、充填材の比重は、これを沸騰した蒸留水中で３０分間煮沸し、冷やした後に測定する。
【００１３】
濾過部７の濾過床７ａには、通常処理時に固定床を形成し、洗浄時に流動床を形成する沈降性充填材（すなわち、散気すれば液とともに流動できるが散気を停止すれば容易に沈降する性状で、比重では概ね１．００〜１．２０のもの）を充填し、その下方に洗浄用散気部材１３を設けている。
また、濾過部７の下部には濾過床７ａを洗浄（逆洗）したときにその洗浄排水を第一固液分離槽４へ返送するためのエアリフトポンプ管１４の吸込口１５が設けられている。エアリフトポンプ管１４の大部分は箱状容器１１外の生物反応槽６の一画に配置されている。
【００１４】
次に、図１を参照しながら、汚水浄化槽１における生物反応槽６及び濾過部７の運転について説明する。
通常の汚水処理時（生物反応時）には、汚水又は排水を好気処理するために、生物反応床６ａの下部に設けている反応用散気部材１２から常時空気を吐出させる。その際、生物反応床６ａ中の生物担体は散気による撹拌効果で上下に流動する。濾過床７ａの洗浄時には、洗浄用散気部材１３から空気を吐出させても構わないが、通常は、吐出させない。生物反応床６ａにおいては、主として、有機物の酸化・分解及びアンモニアの硝化が進行する。
【００１５】
通常の汚水処理時、濾過床７ａでは生物反応床６ａから移流してきた液で下向きに流れ、持ち越み酸素（溶存酸素）で好気反応が継続するとともに、静止状態の充填材（濾材）でＳＳを効率よく捕捉（濾過）する。濾過床７ａは徐々に閉塞してくるので、濾過床７ａの閉塞解除と堆積汚泥の除去のため、定期的に洗浄する。洗浄時は、濾過床７ａの下方に設けている洗浄用散気部材１３から空気を吐出させ、濾過床７ａ中の濾材を流動させ、捕捉されているＳＳを遊離させる。遊離したＳＳ及び堆積汚泥を含む洗浄排水はエアリフトポンプ１４を用いて引き抜き、返送管１８を介して第一固液分離槽４へ戻す。
【００１６】
濾過床７ａから濾材がエアリフトポンプ１４へ流れ込むのを防ぐために、濾過床７ａ下部には濾材を通さない多孔性板材を配置しておく。通常の汚水処理時、濾過床７ａを流れる液は下向きであり、その下向流で濾材が圧されて捕捉（濾過）効率が上がる。
【００１７】
なお、上で述べた生物反応床６ａは、通常の汚水処理時は流動床としたが、これは流動床に限定されず、例えば、波板状濾材、板状ヘチマ様濾材及び紐状濾材のような接触材を充填した固定床であってもよい。更に、濾過床７ａの充填材は沈降性充填材としたが、これも沈降性充填材に限定されず、例えば、浮上性充填材（散気すれば液とともに流動できるが散気を停止すれば容易に浮上する性状の充填材で、比重では概ね０．８０〜１．００のもの）であってもよい。
【００１８】
図２は本発明に係る他の例の汚水浄化槽である。図１の例との大きな違いは、箱状容器１１を、生物反応槽６の一画ではなく、第一固液分離槽４の一画に配置した点である。ここで、汚水の主たる流れは、「嫌気処理槽→生物反応槽→濾過部→消毒部」であり、図１の流れと同様である。
【００１９】
【発明の効果】
本発明の汚水浄化槽によれば、槽体の内壁と濾過部を構成する箱状容器の外側との間に水封を要しない。また、箱状容器に予め必要な部品及び部材を組み込んでユニット化すれば、作業空間の小さい汚水浄化槽内での組み立てが不要であり、組立て性に優れる。良好な水質の処理水も得られる
また、濾過部（及び消毒部）は、独立した箱状容器内に形成されるので、汚水浄化槽内での濾過部（及び消毒部）の配置は制約が少ない。
【００２０】
更に付言すれば、汚水浄化槽による浄化処理において、濾過部や消毒部等の仕上げ工程は、従来、汚水浄化槽の出口付近に設置されることが一般的であり、濾過部や消毒部が汚水浄化槽の出口付近に設置されると、マンホールの配置位置によっては槽内の観察が困難な場合もあった。しかし、本発明によれば、汚水浄化槽の出口付近を避けて濾過部を配置することもできるため、上記問題を解消できる。
【図面の簡単な説明】
【図１】本発明に係る第１例の汚水浄化槽で、（イ）は平面図、（ロ）は手前側から見た構成略図。矢印は液流を示す。
【図２】本発明に係る第２例の汚水浄化槽で、（イ）は平面図、（ロ）は手前側から見た構成略図。矢印は液流を示す。
【符号の説明】
１：汚水浄化槽
２：入口              ３：出口
４：第一固液分離槽（第一嫌気処理槽）
５：第二固液分離槽（第二嫌気処理槽）
６：生物反応槽      ６ａ：生物反応床
７：濾過部          ７ａ：濾過床
８：消毒部          ９：仕切（仕切板）
１０：薬筒        １１：箱状容器
１２：反応用散気部材（散気管）
１３：洗浄用散気部材（散気管）
１４：（洗浄用）エアリフトポンプ／エアリフトポンプ管
１５：吸込口          １６：移流口
１７：マンホール      １８：返送管
【図１】
0004416984.tif 000002
【図２】
0004416984.tif 000003